(57)【特許請求の範囲】
【請求項１】
複数の入力機器、およびこれらの入力機器に対応する複数の外部機器が接続されたＡＶアンプに設けられ、回転つまみを所定角度回転する毎に基準パルスを発生し、基準パルスの発生が所定数に達する毎に前記入力機器を選択する入力選択パルスを出力するロータリエンコーダからなる入力切換部と、
前記ＡＶアンプに設けられ、外部機器に対してＤＣコントロール電圧を出力するＤＣコントロール電圧出力部と、
前記入力切換部で入力選択パルスを出力する毎、および前記基準パルスを発生する毎に、その入力選択パルス、および基準パルスのタイミングで起動し所定のタイマ時間をカウントするタイマと、を備え、
前記ＤＣコントロール電圧出力部は、前記タイマがタイムオーバしたとき、前記入力選択パルスが示す入力機器に対応する外部機器に対してＤＣコントロール電圧を出力することを特徴とするＡＶアンプの外部機器制御装置。
【請求項２】
入力機器ごとのタイムオーバの時間を規定したテーブルを設け、
前記タイマは、前記入力切換部で入力選択パルスを出力する毎に前記テーブルを参照し、タイムオーバの時間を決定することを特徴とする請求項１記載のＡＶアンプの外部機器制御装置。
【発明の詳細な説明】
【０００１】
【発明の属する技術分野】
本発明は、ロータリエンコーダからなる入力切換部を備えるＡＶアンプにおいて、選択された入力に対応した外部機器に対してＤＣコントロール電圧を出力する機能を持つＡＶアンプの外部機器制御装置に関する。
【０００２】
【従来の技術】
入力ソースとしてＣＤ、ＭＤ、ＤＶＤ等が選択でき、外部機器として映像装置、上下動可能なスクリーン装置、照明装置等が接続可能なＡＶアンプにおいて、従来、これらの外部機器を制御するためのＤＣコントロール電圧を出力するＤＣコントロール電圧出力部を設けたものがある。また、選択可能な入力ソースの増加やＡＶアンプの制御部のディジタル化に対応して、入力を選択する手段として、ロータリエンコーダを採用したものがある。制御部は、ロータリエンコーダによって選択された入力に対応する外部機器に対して、一般には、「Ｈ」または「Ｌ」として表されるＤＣコントロール電圧を出力する。たとえば、外部機器として、スクリーン装置、プロジェクターが接続されている場合、入力としてＤＶＤが選択されると、スクリーン装置、プロジェクターに対し、「Ｈ」のＤＣコントロール電圧が出力される。各機器は、上記ＤＣコントロール電圧を受けることによって、たとえば、スクリーン装置はスクリーンの下降を開始し、プロジェクターは電源がオンする。
【０００３】
このように、ＤＣコントロール電圧出力機能を備えるＡＶアンプでは、選択された入力に対応する外部機器に対し、自動的にＤＣコントロール電圧を出力することができるため、たとえば、外部機器の電源オンや所定の動作を自動的に行わせることができる。
【０００４】
【発明が解決しようとする課題】
ところが、入力切換部としてロータリエンコーダを使用する場合、回転摘まみを回転して入力を連続的に切り換えていくと、目的とする入力を選択するまでに他の入力の選択パルスを出力する状況が発生する。この場合、ロータリエンコーダの回転中に発生する入力選択パルスによって目的外の外部機器に対しＤＣコントロール電圧が出力されることになるから、それらの目的外の外部機器が不要な動作をしてしまう不都合があった。
【０００５】
本発明の目的は、ロータリエンコーダを使用して入力選択パルスを出力する時に、目的とする入力が選択されるまでに、不要なＤＣコントロール電圧が出力されるのを防ぐことのできるＡＶアンプの外部機器制御装置を提供することにある。
【０００６】
【課題を解決するための手段】
本発明のＡＶアンプの外部機器制御装置は、複数の入力機器、およびこれらの入力機器に対応する複数の外部機器が接続されたＡＶアンプに設けられ、回転つまみを所定角度回転する毎に基準パルスを発生し、基準パルスの発生が所定数に達する毎に前記入力機器を選択する入力選択パルスを出力するロータリエンコーダからなる入力切換部と、前記ＡＶアンプに設けられ、外部機器に対してＤＣコントロール電圧を出力するＤＣコントロール電圧出力部と、前記入力切換部で入力選択パルスを出力する毎、および前記基準パルスを発生する毎に、その入力選択パルス、および基準パルスのタイミングで起動し所定のタイマ時間をカウントするタイマと、を備え、前記ＤＣコントロール電圧出力部は、前記タイマがタイムオーバしたとき、前記入力選択パルスが示す入力機器に対応する外部機器に対してＤＣコントロール電圧を出力することを特徴とする。
また、本発明のＡＶアンプの外部機器制御装置は、入力機器ごとのタイムオーバの時間を規定したテーブルを設け、前記タイマは、前記入力切換部で入力選択パルスを出力する毎に前記テーブルを参照し、タイムオーバの時間を決定することを特徴とする。
【０００７】
本発明では、ロータリエンコーダによる入力選択パルスの出力ごとにタイマを起動し、入力選択パルス間隔をタイマで監視する。このタイマがタイムオーバーした時には、ロータリエンコーダの回転が停止していると判断し、その時に選択されている入力に対応する外部機器に対しＤＣコントロール電圧を出力する。これにより、ロータリエンコーダからなる入力切換部を連続操作して複数の入力選択パルスを出力している時には、途中の入力選択パルスではＤＣコントロール電圧が出力されなくなる。これにより、外部機器に対する不要なＤＣコントロール電圧の出力が防止される。
【０００８】
なお、前記所定のタイマ時間は、入力切換部で選択される入力ごとに変えることができる。このためには、入力ごとに所定のタイマ時間を設定したテーブルを設け、入力選択パルスを出力するごとに、このテーブルを参照してタイマ時間を設定する。このようにすることで、外部機器に対する制御能力を上げることができる。
【０００９】
また、入力選択パルス間において複数のパルスを発生するようにして、各パルスの発生タイミングでタイマを起動するようにしてもよい。このようにすると、入力確定後にタイムオーバーがするまでの時間を最小限にすることができるから、ＤＣコントロール電圧が出力するまでの遅延時間を短くできる。
【００１０】
【発明の実施の形態】
図１は、本発明の実施形態であるＡＶアンプの正面図を示している。
【００１１】
ＡＶアンプ１の正面パネルには、向かって右側から、音量設定部２、入力切換部３、表示部４、スタンバイスイッチ５が配置されている。音量設定部２及び入力切換部３は、ロータリエンコーダで構成され、これに回転摘まみが連結されている。音量設定部２で設定される音量や、入力切換部３で選択される入力については、表示部４に表示される。入力切換部３は、ロータリエンコーダで構成されるために、この回転摘まみを回転することにより、表示部４には、入力が連続的に切換え表示されていく。
【００１２】
図２は、上記ＡＶアンプの概略の構成図である。このＡＶアンプ１は、ＡＶ信号処理部１０と制御部１１とを備えている。ＡＶ信号処理部１０は、このＡＶアンプ１に接続されている複数の入力機器２１から入力されるＡＶ信号を処理し、外部機器２０中の映像機器や図示しないスピーカ等に出力する。制御部１１は、ＡＶアンプ全体を制御し、上記ロータリエンコーダからなる音量設定部２、入力切換部３及び表示部４が接続されている。また、ＤＣコントロール電圧出力部１５が接続されている。このＤＣコントロール電圧出力部１５は、入力切換部３で選択された入力に対応した外部機器に対してＤＣコントロール電圧を出力する。
【００１３】
なお、リモコン３０によって、ＡＶアンプ１の各種設定が可能であり、同様に、ＲＳ２３２Ｃ端子を介して、パソコン（ＰＣ）４０において各種設定が可能となっている。
【００１４】
上記の構成において、ロータリエンコーダで構成される入力切換部３により、回転摘まみを回転することによって入力を連続的に選択すると、制御部１１は、入力選択パルスを受けるごとに、その入力選択パルスのタイミングでタイマを起動する。この時、タイマがタイムオーバーするまでに次の入力選択パルスがくれば、そのタイミングでタイマが再起動（リトリガ）される。したがって、タイマのタイマ時間を入力選択パルス間の時間よりも少し長く設定しておくことによって、入力を連続的に選択した場合に、途中の入力選択パルスによってはＤＣコントロール電圧が出力されない。そして、入力選択が確定すると、その入力に対応する入力選択パルスが出てから所定の時間後にタイマがタイムオーバーし、そのタイミングで対応する外部機器に対してＤＣコントロール電圧が出力される。
【００１５】
以上によって、ローターエンコーダの回転摘まみを回転して入力を連続的に選択した場合、途中で選択されている外部機器に対してＤＣコントロール電圧が出力されるのを防ぐことができる。
【００１６】
図３は、入力切換部３の回転摘まみを回転している時のタイマカウント値の変化を示している。
【００１７】
図３（Ａ）に示すように、  入力切換部３の回転摘まみを回転すると、表示部４の特定の表示領域４ａにおいて、たとえば、「ＣＤ」→「ＭＤ」→「ＤＶＤ」のように、入力が順に表示されていく。表示領域４ａで、各入力の表示が行われるタイミングで  入力切換部３から、制御部１１に対して入力選択パルスが出力される。図３（Ｂ）に示すように、入力選択パルスは、上記の例ではＣＤ→ＭＤ→ＤＶＤの順に出力する。所定のタイマ時間としてＴＯＵＴが設定されているタイマは、上記入力選択パルスのタイミングでリトリガ（再起動）してカウントを開始する。すなわち、図に示す例では、入力としてＣＤが選択されたタイミングでタイマがリトリガされ、時間Ｔ１（Ｔ１＜ＴＯＵＴ）をカウントした時にＭＤの入力選択パルスが出ることによってリトリガされて再度カウントを開始する。また、入力としてＤＶＤが選択されるまでの時間Ｔ２をカウントしてリトリガされ、ＤＶＤの入力選択パルスが出た後、ＴＯＵＴをカウントしてタイムオーバーする。このタイムオーバーするタイミングｔ０において、ＤＣコントロール電圧出力部１５から、選択された入力であるＤＶＤに対応した外部機器に対してＤＣコントロール電圧が出力される。したがって、この例では、ＣＤやＭＤの入力選択パルスが出力された時にＤＣコントロール電圧が出力されることがない。
【００１８】
なお、図３（Ｂ）においては、ＣＤとＭＤの入力選択パルス間の時間Ｔ１と、ＭＤとＤＶＤの入力選択パルス間の時間Ｔ２とは、Ｔ１＞Ｔ２の関係となっている。これは、回転摘まみ３を操作するのが人間であるために、その回転摘まみの操作スピードが変化したためである（実際には、図の例では操作スピードが速くなっている）。したがって、所定のタイマ時間ＴＯＵＴは、この回転摘まみの操作時間を考慮して設定する。具体的には回転摘まみの操作が最も遅い状態を想定し、その場合の入力選択パルス間の時間以上にＴＯＵＴを設定することが必要である。通常、回転摘まみの操作スピードはユーザによってそれほど大きく変わるものではないと考えられるために、所定のタイマ時間ＴＯＵＴは数秒程度に設定することで問題を生じることがない。
【００１９】
次に、上記の制御を行う動作について説明する。
【００２０】
図４は、第１の実施例を示す。
【００２１】
入力切換部３のロータリエンコーダを回転して、入力切換えがあると（入力選択パルスが出力されると）、タイマスタート（リトリガ）する（ＳＴ２）。また、タイマが起動中であってタイマ監視されている状態であることを示すための回転開始フラグをセットする。この後、次の入力切換えがあるまでにタイムオーバーするかどうかの監視を行う（ＳＴ３）。次の入力切換えがあるまでにタイムオーバーすると、ＳＴ４に進んで、ＤＣコントロール電圧を出力し、回転開始フラグをクリアする。この時のＤＣコントロール電圧は、最後の入力切換えによって選択された入力に対応するものとなる。
【００２２】
上記ＳＴ１において、入力切換えがないときにはＳＴ５に進んで、回転開始フラグの状態を判定し、フラグセット状態であればＳＴ３に進み、フラグがクリアされていればＳＴ１に戻る。タイマは起動されていないきにはタイムオーバ状態なので、ＳＴ５により、タイマ起動中でない（入力切換え状態でない）ときにはＳＴ１に戻るようにしている。
【００２３】
以上のように、入力を連続切換えしている時に、隣合う入力選択パルス間ＴＸを、ＴＯＵＴのタイマ時間が設定されているタイマによって監視し、タイムオーバーした時にのみ最後に選択された入力に対応する外部機器に対してＤＣコントロール電圧を出力することによって、途中に選択されている外部機器に対するＤＣコントロール電圧の出力を防ぐことができる。
【００２４】
図５は第２の実施例を示している。通常、入力切換部３のロータリエンコーダは、同図に示すように、入力選択パルスＰＩＮ間において、Ｎ個のパルスＰ（本発明の基準パルスに相当する。）を発生している。そこで、ＰＩＮとＰ間、及び、２つのＰ間の時間ＴＹをタイマで監視することによって最終的に選択された入力を決定することができる。すなわち、パルスＰＩＮまたはＰが出力されるたびにタイマをリトリガし、タイムオーバーした時に回転摘まみの操作が停止して入力が決定したと見なし、その入力に対応した外部機器に対してＤＣコントロール電圧を出力する。この時の所定のタイマ時間は、時間ＴＹが最大となる時間よりも少し長めの時間に設定される。図５から明らかなように、図５のＴＹは、図４のＴＸに比べて数分の１程度であるから、入力切換部３による入力切換え確定後のＤＣコントロール電圧が出力されるまでの遅延時間を短くすることができる。この遅延時間が短いことによって、外部機器の動作開始が早くなる。
【００２５】
なお、入力に対して、各外部機器に対する出力コントロール電圧は、予めリモコン３０またはＰＣ４０によって設定することができる。外部機器２０を複数個使用した場合の設定例を図６に示している。この例では、たとえば、入力がＣＤの時には、外部機器Ａ、Ｂ、Ｃについては、ＤＣコントロール電圧がそれぞれ、「Ｈ」、「Ｌ」、「Ｌ」に設定され、入力がＤＶＤの時には、外部機器Ａ、Ｂ、Ｃ、Ｄに対して、それぞれＤＣコントロール電圧が「Ｌ」、「Ｈ」、「Ｈ」、「Ｌ」に設定される。もちろん、外部機器２０を複数個使用する場合には、ＤＣコントロール電圧出力端子を複数個設けることが必要である。
【００２６】
また、別の実施例として、図４に示す第１の実施例において、ＳＴ１で入力切換えを検出した時に、そのときの入力選択パルスが示す外部機器に対応するタイマ時間をテーブルを参照して設定することが可能である。このようにすることで、入力の種類ごとにタイムオーバーするまでの時間が変更されるため、外部機器に対するコントロール能力を上げることができる。
【００２７】
【発明の効果】
本発明によれば、ロータリエンコーダからなる入力切換部によって、入力を連続的に切換え選択する場合、途中で出力される入力選択パルスによってはＤＣコントロール電圧が出力されないため、入力の連続切換え中に外部機器が誤った動作をする不具合を防止することができる。
【図面の簡単な説明】
【図１】本発明の実施形態であるＡＶアンプの正面パネル図
【図２】上記ＡＶアンプのブロック構成図
【図３】入力切換え時のタイマの動作を示す図
【図４】外部機器制御動作の第１の実施例のフローチャート
【図５】第２の実施例のフローチャート
【図６】各入力に対応した外部機器に対するＤＣコントロール電圧の設定を示す図
【図１】
0004019707.tif 000002
【図２】
0004019707.tif 000003
【図３】
0004019707.tif 000004
【図４】
0004019707.tif 000005
【図５】
0004019707.tif 000006
【図６】
0004019707.tif 000007